(57)【要約】      （修正有）【課題】物件を貼付け、ノート類に嵌め外すことができ、繰り返しの貼付動作を減少し、かつ、ノート類から取り外すときに物件或いはノート類の表面を損傷せず、かつ、使用者が物件の保存、整理、収納を容易に行える貼付タブ構造を提供する。【解決手段】貼付タブ構造１００であって、貼付本体１１０と少なくとも一つの貼付層１２０から構成される。貼付本体はスナップ部１１２とスナップ部に対向する貼付部１１４を有する。少なくとも一つの貼付層は貼付部の少なくとも一つの側面に配置される。スナップ部は少なくとも一つのバックル孔１１６を有して、ノート類のバインダーに嵌め込むことができる。【選択図】図１
0003210729.tif 000002
【実用新案登録請求の範囲】
【請求項１】
物件を貼付し、ノート類のバインダーに嵌め外すことができる貼付タブ構造であって、貼付本体はスナップ部と前記スナップ部に対向する貼付部を有し、少なくとも一つの貼付層は前記貼付部の少なくとも一つの側面に配置され、前記スナップ部は少なくとも一つのバックル孔を有して、ノート類のバインダーに嵌め込むことができる貼付タブ構造。
【請求項２】
前記少なくとも一つのバックル孔が少なくとも一つのギャップを有し、かつ、前記少なくとも一つのギャップと前記少なくとも一つのバックル孔が相互に連通する請求項１に記載の貼付タブ構造。
【請求項３】
前記少なくとも一つの貼付層が接着剤或いは磁石からなる請求項１に記載の貼付タブ構造。
【請求項４】
前記少なくとも一つの貼付層は複数回貼付けられる、或いは一回限り貼付けられる貼付層である請求項１に記載の貼付タブ構造。
【請求項５】
前記貼付本体の材料が紙材又はプラスチック材等からなる請求項１に記載の貼付タブ構造。
【請求項６】
前記貼付本体の材料は透明材料或いは不透明材料からなる請求項１に記載の貼付タブ構造。
【請求項７】
前記少なくとも一つのギャップの形状は切断状、スリット状、円形、三角形或いは多角形等からなる請求項２に記載の貼付タブ構造。
【請求項８】
前記貼付本体は折り曲げられたシートからなり、かつ、このシートは略対称の形状を有する請求項１に記載の貼付タブ構造。
【請求項９】
前記少なくとも一つの貼付層は二重貼付層であり、かつ、前記シートの両端にそれぞれ配置する請求項８に記載の貼付タブ構造。
【考案の詳細な説明】
【技術分野】
【０００１】
本考案は、貼付タブ構造に関し、特に一端に物件を貼付し、もう一端はルーズリーフノートに嵌め外すことができる貼付タブ構造である。
【背景技術】
【０００２】
忙しい現代社会では、多くの人々はまだ各種の紙ノート、手帳或いはルーズリーフノート（以下、「ノート類」と言う）を利用して様々な情報を記録しており、各種ファイル、チケット等の詳細資料又は記念性のある物件を添付し、或いは注釈して、内容を豊富にするだけでなく、記録を更に完全にしている。
【０００３】
しかしながら、従来、ノート類に前記物件を添付するときは、大体テープまたは他の方法でノート類に直接貼るか、綴じるか、或いは資料袋に入れて固定している。そのような方法で収納の効果や分類を達成することができるが、使用者が再整理したいときには困難となる。
【０００４】
例えば、テープでノート類に貼ると、物件を取り外すときに接着剤を残す可能性があり、或いは粘着性が高いときは取り外すことが困難となり、物件又はノート類の表面を損傷することもあるし、クリップでノート類に綴じると、外れやすく、ステープルで綴じると、物件の表面を損傷しやすい或いは元のページに書き込む空間がなくなる。一方、資料袋に入れた資料は歳月が経過すると、資料が多くなり、整理が困難となる。
【考案の概要】
【考案が解決しようとする課題】
【０００５】
そこで、繰り返しの貼付動作を減少でき、物件を整理するときに物件或いは紙の損傷問題を避け、かつ、使用者にとって保存しやすく、元のページの書き込み空間を占用しない、物件の収納及び整理が容易な貼付タブ構造を提供することは業界の課題となっている。
【課題を解決するための手段】
【０００６】
本考案の目的は、物件を貼付け、ノート類に嵌め外すことができ、繰り返しの貼付動作を減少し、かつ、ノート類から取り外すときに物件或いはノート類の表面を損傷せず、かつ、使用者が物件の保存、整理、収納を容易に行える貼付タブ構造を提供することである。
【０００７】
前記目的を達成するため、本考案に係る貼付タブ構造は貼付本体及び少なくとも一つの貼付層から構成される。貼付本体はスナップ部とスナップ部に対向する貼付部を有し、少なくとも一つの貼付層は貼付部の少なくとも一つの側面に配置され、かつ、スナップ部は少なくとも一つのバックル孔を有して、ノート類のバインダーに嵌め込むことができる。
【０００８】
前記目的を達成するため、本考案に係る貼付タブ構造は少なくとも一つのギャップを有し、少なくとも一つのバックル孔は少なくとも一つのギャップと対応し、かつ、少なくとも一つのギャップと少なくとも一つのバックル孔は相互に連通する。
【０００９】
前記目的を達成するため、本考案に係る貼付タブ構造は少なくとも一つの貼付層が接着剤或いは磁石等からなる。
【００１０】
前記目的を達成するため、本考案に係る貼付タブ構造は少なくとも一つの貼付層が複数回貼付けられる、或いは一回限り貼付けられる貼付層である。
【００１１】
前記目的を達成するため、本考案に係る貼付タブ構造の貼付本体の材料は紙材又はプラスチック材等からなる。
【００１２】
前記目的を達成するため、本考案に係る貼付タブ構造の貼付本体の材料は透明材料或いは不透明材料である。
【００１３】
前記目的を達成するため、本考案に係る貼付タブ構造の貼付本体における、少なくとも一つのギャップの形状は切断状、スリット状、円形、三角形或いは多角形等からなる。
【００１４】
前記目的を達成するため、本考案に係る貼付タブ構造の貼付本体は、折り曲げられたシートからなり、かつ、このシートは略対称の形状を有する。
【００１５】
前記目的を達成するため、本考案に係る貼付タブ構造の貼付層は少なくとも一つの貼付層は二重貼付層であり、かつ、当該シートの両端にそれぞれ配置する。
【００１６】
前記の目的、技術特徴、利点を更に理解しやすくするため、以下に望ましいい実施例及び図面で詳細に説明する。
【図面の簡単な説明】
【００１７】
【図１】本考案に係る貼付タブ構造の第一実施例の略図である。
【図２】本考案に係る貼付タブ構造の第二実施例の略図である。
【図３】本考案に係る貼付タブ構造の第三実施例の略図である。
【図４】本考案に係る貼付タブ構造の第四実施例の透視図である。
【図５】本考案に係る貼付タブ構造の第五実施例の略図である。
【図６】本考案に係る貼付タブ構造の第六実施例の略図である。
【図７】本考案に係る貼付タブ構造の第七実施例の略図である。
【図８】本考案に係る貼付タブ構造の各実施例の使用状態の略図である。
【考案を実施するための形態】
【００１８】
本考案は貼付タブ構造であって、一端に物件を貼付けて、ノート類（例えば、各種紙ノート、手帳、ルーズリーフノート等）に嵌め外すことができ、使用者にとって物件を容易に保存、収納及び整理する。本考案に係る貼付タブ構造はバインダーを有するノート類への使用が望ましく、かつ、貼付タブ構造はバインダーを有するノート類に嵌め外すことであるが、それに限らず；一般的にページを固定するリング、或いはリング構造を持つ、収納、整理、分類等の効能を有する非ルーズリーフノートでも本貼付タブ構造の使用対象となる。
【００１９】
本考案に係る貼付タブ構造は貼付本体及び少なくとも一つの貼付層を含む。貼付本体はスナップ部とスナップ部に対向する貼付部を有し、少なくとも一つの貼付層は貼付部の少なくとも一つの側面に配置され、かつ、スナップ部は少なくとも一つのバックル孔を備えて、ノート類のバインダーに嵌め込むことができる。
【００２０】
具体的には、図１に示した第一実施例中で、貼付タブ構造１００は貼付本体１１０及び少なくとも一つの貼付層１２０を備える。貼付本体１１０はスナップ部１１２及びスナップ部１１２に対向する貼付部１１４を有し、スナップ部１１２と貼付部１１４（図１に示した白色部分）は貼付機能を持っていない。少なくとも一つの貼付層１２０（図１に示した灰色部分）は貼付部１１４の少なくとも一つの側面に配置され、かつ、スナップ部１１２はバックル孔１１６を有し、ノート類のバインダーに嵌め込むことができる。図示していないが、貼付部１１４は複数の貼付層１２０を配置することができ、例えば、貼付部１１４の正面に二つの貼付層１２０を配置する、或いは貼付部１１４の正面及び背面に貼付層１２０を一つずつ配置するか、更に多くの貼付表面を提供することで、各種物件を同時に貼付けることができ、消費者は多くの応用方式を利用して、本貼付タブ構造１００の使用による楽しみを増加する。
【００２１】
図１及び図８を同時に参照し、前記バックル孔１１６を設けることによって、使用者が本考案に係る貼付タブ構造１００をノート類１０に嵌め込み、ルーズリーフ紙の固定部１２に固定し（すなわち、一般的なリング状ルーズリーフバインダー或いはリング）、或いは貼付タブ構造１００を固定部１２から取り外すことで、繰り返しの貼付動作を減少する目的を達成し、使用者にとって物件の保存、収納及び整理が便利になる。
【００２２】
図２に示した第二実施例中で、貼付タブ構造２００は貼付本体２１０にスナップ部２１２、貼付部２１４及びバックル孔２１６を有し、それ以外に、バックル孔２１６に対応するギャップ２１８を有し、かつ、ギャップ２１８とバックル孔は相互に連通する。従って、図８に示した通り、ギャップ２１８の設置によって、使用者が容易に貼付タブ構造２００をノート類１０に嵌め込み、ルーズリーフ紙の固定部１２に固定する、或いは貼付タブ構造２００を固定部１２から取り外すことができる。
【００２３】
具体的には、第二実施例の中で、貼付タブ構造２００が有するギャップ２１８は引っ込んで三角形のような態様であり、図８に示した通り、使用者が貼付タブ構造２００をノート類１０に嵌め込むときに、ノート類１０の固定部１２はギャップ２１８を経由し、貼付タブ構造２００のバックル孔２１６に嵌め込められる。そして、ノート類１０の固定部１２はギャップ２１８を介して緩くバックル孔２１６に嵌め込まれるので、ルーズリーフ紙と同じようにルーズリーフノートのリング（すなわち、本考案のノート類１０と固定部１２にそれぞれ対応する）に配置され、固定部１２に対し貼付タブ構造２００は自由にめくることができ、かつ、ギャップ２１８の特殊な構造設計のため、外力が加えられないと、ノート類１０から脱落しない。
【００２４】
従って、図８に示した通り、物件３０を第二実施例の貼付タブ構造２００が有する貼付層２２０の上に貼付けて、貼付タブ構造２００のギャップ２１８を介して、貼付タブ構造２００をノート類１０の固定部１２に固定させ、物件３０はルーズリーフ紙のようにノート類１０に固定されて、めくることができ、物件３０をノート類に添付する或いは注釈することができるという目的を達成した。
【００２５】
ノート類１０を再整理或いは再編集するときに、使用者は簡単に、貼付タブ構造２００のギャップ２１８を介してノート類１０の固定部１２を貼付タブ構造２００のバックル孔２１６から取り外し、物件３０に損傷を与えないことで、再度ノート類１０の他のページ或いは位置に添付することができる。
【００２６】
その結果、本考案に係る貼付タブ構造２００の設置によって、背景技術におけるような、ノート類を整理するとき、のり、テープ等の媒介を通じて物件を紙に貼付けること等を繰り返す動作を避け、かつ、物件３０をノート類１０から取り外すとき物件３０は損傷せず、同時にノート類１０或いはルーズリーフの表面に損傷を与えず、従って、使用者が物件３０を簡便に、かつ安全に保存、収納、整理することができる。
【００２７】
注意すべきは、図２の第二実施例中に、スナップ部２１２は単一バックル孔２１６及び単一ギャップ部２１８を有することとして説明しているが、それに限らない。すなわち、本考案のスナップ部は二つ又は二つ以上のギャップ、及び二つ或いは二つ以上のバックル孔を設けることも含み、同様に物件をノート類の固定部から嵌め外すことができる。
【００２８】
具体的には、図３に示した第三実施例の中で、貼付タブ構造３００は同様に貼付本体３１０及び少なくとも一つの貼付層３２０を有し、貼付本体３１０はスナップ部３１２及びスナップ部３１２に対向する貼付部３１４を備えて、かつ、少なくとも一つの貼付層３２０を貼付部３１４の少なくとも一つの側面に配置される。第二実施例と異なり、第三実施例のスナップ部３１２は二つのバックル孔３１６及び二つのギャップ３１８を有し、かつ、二つのバックル孔３１６と二つのギャップ３１８は相互に連通する。
【００２９】
従って、図８に示した通り、第三実施例の貼付タブ構造３００は物件４０をめくることができる方式で同時にノート類１０の二つの固定部１２に固定される。そのため、第一実施例及び第二実施例と比べると、第三実施例の貼付タブ構造３００は物件４０に対し、より強固な固定作用がある。
【００３０】
以下、本考案に係る貼付タブ構造の第四実施例を説明する。
【００３１】
図４に示した通り、第四実施例の貼付タブ構造４００が有する貼付本体４１０は折り曲げられたシートからなり、かつ、このシートは略対称の形状を有する。
【００３２】
具体的には、第四実施例において、貼付タブ構造４００は貼付本体４１０及び二つの貼付層４２０から構成される。貼付本体４１０はスナップ部４１２及びスナップ部４１２に対向する二つ貼付部４１４を備えて、かつ、二つの貼付層４２０は二つの貼付部４１４の少なくとも一つの側面にそれぞれ配置する。使用者が便利に折れるように、シートの中央部に予め定められた折目が設けられ、かつ、二つの貼付部４１４及び二つの貼付層４２０は中央部からの対向二端に配置される。
【００３３】
従って、図８に示した通り、第一実施例と異なり、第四実施例は折り曲げる方式で物件５０は二つの貼付層４２０を経由して二つの貼付部４１４に貼付け、かつ、折り曲げた後の第四実施例はスナップ部４１２を有し、第二実施例のスナップ部２１２の構造と近似している。
【００３４】
従って、第四実施例の設置方法を介して、貼付タブ構造４００はより強固な効能を持って、かつ、厚めがある或いは大きなサイズの紙又は物件に適用される。
【００３５】
注意すべきは、第四実施例中で、折り曲げた後のスナップ部４１２は単一バックル孔４１６及び単一ギャップ４１８を有することとして説明しているが、それに限らない。すなわち、貼付タブ構造４００は単に単一バックル孔４１６を有する態様（折り曲げた後、図１に示した貼付タブ構造１００のように現れる）、或いは複数のバックル孔４１６及び複数のギャップ４１８を有する態様（折り曲げた後、図３に示した貼付タブ構造３００のように現れる）とすることもでき、物件５０はノート類１０の固定部１２上で嵌め外すことができることを達成する。
【００３６】
特に、本考案でスナップ部が二つ或いは二つ以上のバックル孔を有する場合、各バックル孔の距離は一般的なルーズリーフノートのリングの国際基準と合わさなければならず、バックル孔の直径は４．５ｍｍであり、使用者は本考案に係る貼付タブ構造を市販のノート類（例えば、各種紙ノート、手帳或いはルーズリーフノート等）にも便利に利用できる。
【００３７】
一方、本考案に係る貼付タブ構造が有する貼付層は接着剤又は磁石からなり、貼付け、吸着など方法で物件を貼付本体に固定する。貼付層が接着剤の場合、接着剤は複数回貼付のため、紙に傷を付けない弱い接着剤の使用ができ、又は複数回貼付（すなわち、貼付或いは吸着）或いは一回限りの貼付のため、強い接着剤の使用もでき、市場の実際のニーズに応じて変更する。
【００３８】
貼付本体の材料は紙材、プラスチック材等からなり、材質は透明又は不透明とすることができ、様々な使用要求による変更ができる。
【００３９】
第二実施例に示したギャップ２１８は引っ込んで三角形のような態様であるが、本考案を制限するものではない。従って、図５に示した第五実施例は、第二実施例と同様に貼付本体５１０、スナップ部５１２、貼付部５１４及びバックル孔５１６を有する以外に、貼付タブ構造５００のギャップ５１８が細長いスリット状に現われ、ノート類１０の固定部１２はギャップ５１８を介して、貼付タブ構造５００のバックル孔５１６内に固定され、一方、バックル孔５１６とノート類１０の固定部１２の間（すなわち、バインダーまたはリングバインダー）のロック状態を維持することができ、外力がない場合には貼付タブ構造５００はノート類１０から脱落することなく確保される。もちろん、図示していないが、本考案に係る貼付タブ構造が有するギャップは様々なノート類又は設計要求に応じて、例えば、切断形、円形、三角形或いは多角形等の形状に変更できる。
【００４０】
図６に示した第六実施例中に、貼付タブ構造６００に有する貼付本体６１０は前記実施例と相違した態様で現れる。図示した通り、貼付本体６１０のスナップ部６１２はギャップ６１８の両側に斜角の態様で現われるので、ノート類１０の固定部１２への挿入の抵抗力が減少されるが、貼付部６１４、バックル孔６１６、ギャップ６１８及び貼付層６２０等は他の実施例と同様である。
【００４１】
図７に示した第七実施例は図１の第一実施例から派生する。具体的には、小鳥造形の貼付タブ構造７００が一つの貼付本体７１０及び貼付層７２０を有する。貼付本体７１０はスナップ部７１２及びスナップ部７１２と対向する貼付部７１４を有する。貼付層７２０は貼付部７１４の側面に配置され、かつ、スナップ部７１２はバックル孔７１６を有し、ノート類のバインダーに嵌め込むことができる。
【００４２】
図７に示した実施例中に、スナップ部７１２と貼付部７１４はそれぞれ鳥の尾羽と鳥の身体の形状で現れる。バックル孔７１６は鳥の尾羽（すなわち、スナップ部７１２）に設けられ、ノート類１０の固定部１２に固定され、貼付層７２０は鳥の身体（すなわち、貼付部７１４）に配置され、物件６０が貼り付けられる。
【００４３】
すなわち、本考案に係る貼付タブ構造は図１乃至図６に示した略長方形の態様以外に、図７に示した通り、小鳥造形或いは他の動物造形にも現わせて、興味を増加することができる。当然、本領域の通常の知識を有する者であれば本考案に係る貼付タブ構造を他の物の造形として現わすことは容易に推測することができるので、これも本考案の保護要求範囲である。
【００４４】
図８は本考案の各実施例の使用状態図であり、前記の説明において詳細に記載しており、ここで重複して説明はしない。
【００４５】
以上に述べた通り、本考案に係る貼付タブ構造は使用者にとって自由に組合せることができ、かつ、貼付物件（例えば、チケット、チラシ、ラベル等）をノート類又はバインダーまたはリングバインダーを有するノートに嵌め外すこととめくることができ、添付或いは注釈することもでき、使用者が便利に情報を完全に記録でき、メモの内容を充分に記入でき、繰り返しの貼付動作を避け、物件を再整理するときの物件或いは紙の損傷問題を解決し、使用者にとって保存、収納に便利で、整理が容易というメリットがある。
【００４６】
前記実施例は本考案に係る貼付タブ構造の原理及び効能の説明例であり、本考案の技術特徴を解釈し、本考案の保護範囲を制限するものではない。本考案の技術原理及び趣旨に反しない限り、本技術分野の常識を持つ者による容易な変更或いは均等的な変更は本考案に係る貼付タブ構造の主張範囲内に属する。従って、本考案の保護範囲は後述する請求項の範囲によるものである。
【符号の説明】
【００４７】
１０  ノート類
１２  固定部
１００、２００、３００、４００、５００、６００、７００  貼付タブ構造
１１０、２１０、３１０、４１０、５１０、６１０、７１０  貼付本体
１１２、２１２、３１２、４１２、５１２、６１２、７１２  スナップ部
１１４、２１４、３１４、４１４、５１４、６１４、７１４  貼付部
１１６、２１６、３１６、４１６、５１６、６１６、７１６  バックル孔
２１８、３１８、４１８、５１８、６１８  ギャップ
１２０、２２０、３２０、４２０、５２０、６２０、７２０  貼付層
２０、３０、４０、５０、６０  物件
【図１】
0003210729.tif 000003
【図２】
0003210729.tif 000004
【図３】
0003210729.tif 000005
【図４】
0003210729.tif 000006
【図５】
0003210729.tif 000007
【図６】
0003210729.tif 000008
【図７】
0003210729.tif 000009
【図８】
0003210729.tif 000010